(57)【要約】【課題】スポーツ観戦や野外活動において多目的使用が可能であって、容易に製作しつつ効果的な打音を発生することができ、安全に使用することが可能な応援用具を提供すること。【解決手段】第一の方向に対して平行に複数回ジグザグ状に折り曲げて、第一の方向に対して垂直方向に１回折り曲げることで扇形状が形成され、扇形状に折り曲げられた状態ではなく広げられた状態とすることで、応援用の文字、図形、記号、模様又は色彩が付された面を外部に表示し、屋外で使用される敷物用の材質を有するシートからなることを特徴とする。【選択図】図１
2010271651.tif 000002
【特許請求の範囲】
【請求項１】
第一の方向に対して平行に複数回ジグザグ状に折り曲げて、前記第一の方向に対して垂直方向に１回折り曲げることで扇形状が形成され、
前記扇形状に折り曲げられた状態ではなく広げられた状態とすることで、応援用の文字、図形、記号、模様又は色彩が付された面を外部に表示し、
屋外で使用される敷物用の材質を有するシートからなる、応援用具。
【請求項２】
前記シートは、
前記第一の方向に対して平行な第一の折り曲げ部分と、
前記第一の方向に対して垂直な第二の折り曲げ部分と
が形成され、折り曲げ形状が保持された、請求項１に記載の応援用具。
【請求項３】
前記シートは、ポリエチレン製クロスである、請求項１又は２に記載の応援用具。
【請求項４】
前記シートは、表面にポリプロピレン製フィルムがラミネートされている、請求項３に記載の応援用具。
【請求項５】
前記シートは、正方形である、請求項１〜４のいずれか１項に記載の応援用具。
【請求項６】
前記シートは、長方形であり、
前記第一の方向は、前記シートの長辺方向に平行である、請求項１〜４のいずれか１項に記載の応援用具。
【請求項７】
前記シートは、敷物として地面に対して追従容易な厚みを有し、突起物に接触したときに耐え得る突き刺し強度を有する、請求項１〜６のいずれか１項に記載の応援用具。
【請求項８】
前記シートは、前記第一の折り曲げ部分又は前記第二の折り曲げ部分に凹部が形成されている、請求項２〜７のいずれか１項に記載の応援用具。
【発明の詳細な説明】
【技術分野】
【０００１】
本発明は、応援用具に関する。
【背景技術】
【０００２】
スポーツ観戦などで観衆が応援に使用する応援用具は、様々な種類があり、例えば、一方の手で把持して他方の手に叩くことで音を鳴らすことができるように、縦に２分割された所謂Ｖメガホンやプラスチック製の扇状の所謂ハリセン（張り扇）などがある。また、応援の際、観衆がチームで統一されたユニフォームを着用したり、マフラーを頭上に掲げたりなど一体感を出すこともある。
【０００３】
特許文献１には、シート材をジグザグ状に折り曲げ、その端部に手で握る部分が設けられた野球などの応援用表示板に関する技術が開示されている。また、特許文献２には、厚紙で形成された応援用具が開示されている。
【先行技術文献】
【特許文献】
【０００４】
【特許文献１】特開２００３−２４８４４９号公報
【特許文献２】実用新案登録第３０２２９１６号公報
【発明の概要】
【発明が解決しようとする課題】
【０００５】
ところで、スポーツ観戦において、プロチーム運営者やスタジアム運営者などの事業者が応援用具を提供する等して、応援をより盛り上げることは、事業運営において大事な要素の一つである。その際、応援用具は、多量かつ安価に提供できることが必要である。また、応援用具は、観衆が楽しみながら喜んで使用できるように、観衆にとって魅力的なものであることが望ましい。更に、応援用具を使用してスポーツ観戦する際、応援用具が周囲にいる人に接触する等して怪我を負わせることがないように、応援用具は安全性が確保されたものである必要がある。
【０００６】
しかし、特許文献１や特許文献２に開示された技術では、部材点数が多かったり、一部分特別な形状を有していたりと複雑な構成を有しているため、多量かつ安価に提供することが困難である。
【０００７】
また、特許文献１に開示された応援用表示板や特許文献２に開示された応援用具は、ジグザグに折り曲げたシート材の一端側を把持して扇状にされる。この構成では、一方の手で把持して他方の手に叩くことで効果的に音を鳴らすためには、縦方向に比べて横方向に長いシート材であって縦方向に平行な相当数の折り目が必要であった。そのため、応援用具を容易に製作することができないという問題がある。
【０００８】
また、特許文献１に開示された応援用表示板はやや硬さのあるシート材を使用しているため、扇状に容易に製作することができないことに加えて、周囲にいる人に接触する等して怪我を負わせるおそれがあり、安全性を確保しにくいという問題があった。
【０００９】
そこで、本発明は、上記問題に鑑みてなされたものであり、本発明の目的とするところは、スポーツ観戦や野外活動において多目的使用が可能であって、容易に製作しつつ効果的な打音を発生することができ、安全に使用することが可能な、新規かつ改良された応援用具を提供することにある。
【課題を解決するための手段】
【００１０】
上記課題を解決するために、本発明のある観点によれば、第一の方向に対して平行に複数回ジグザグ状に折り曲げて、第一の方向に対して垂直方向に１回折り曲げることで扇形状が形成され、扇形状に折り曲げられた状態ではなく広げられた状態とすることで、応援用の文字、図形、記号、模様又は色彩が付された面を外部に表示し、屋外で使用される敷物用の材質を有するシートからなる応援用具が提供される。
【００１１】
上記シートは、第一の方向に対して平行な第一の折り曲げ部分と、第一の方向に対して垂直な第二の折り曲げ部分とが形成され、折り曲げ形状が保持されてもよい。
【００１２】
上記シートは、ポリエチレン製クロスであってもよい。また、上記シートは、表面にポリプロピレン製フィルムがラミネートされてもよい。
【００１３】
上記シートは、正方形であってもよい。または、上記シートは、長方形であり、第一の方向は、シートの長辺方向に平行であってもよい。
【００１４】
上記シートは、敷物として地面に対して追従容易な厚みを有し、突起物に接触したときに耐え得る突き刺し強度を有してもよい。
【００１５】
上記シートは、第一の折り曲げ部分又は第二の折り曲げ部分に凹部が形成されてもよい。
【発明の効果】
【００１６】
本発明によれば、スポーツ観戦や野外活動において多目的使用が可能であって、容易に製作しつつ効果的な打音を発生することができ、安全に使用することができる。
【図面の簡単な説明】
【００１７】
【図１】本発明の一実施形態に係る応援用具１００を示す斜視図である。
【図２】同実施形態に係る応援用具１００の第一の使用状態を示す説明図である
【図３】同実施形態に係る応援用具１００の第二の使用状態を示す説明図である。
【図４】同実施形態に係る応援用具１００を示す斜視図である。
【図５】同実施形態に係る応援用具１００を示す正面図である。
【図６】同実施形態に係る応援用具１００を示す右側面図である。
【図７】同実施形態に係る応援用具１００を示す平面図である。
【図８】図５のＡ−Ａ’部分拡大図である。
【図９】同実施形態に係る応援用具１００の第二の使用状態を示す斜視図である。
【図１０】同実施形態に係る応援用具１００の第二の使用状態を示す平面図である。
【図１１】図１０のＢ−Ｂ’部分拡大図である。
【図１２】同実施形態に係る応援用具１００の第一の畳んだ状態を示す平面図である。
【図１３】同実施形態に係る応援用具１００の第一の畳んだ状態を示す正面図である。
【図１４】図１３のＣ−Ｃ’部分拡大図である。
【図１５】同実施形態に係る応援用具１００の第二の畳んだ状態を示す平面図である。
【図１６】同実施形態に係る応援用具１００の第二の畳んだ状態を示す正面図である。
【発明を実施するための形態】
【００１８】
以下に添付図面を参照しながら、本発明の好適な実施の形態について詳細に説明する。なお、本明細書及び図面において、実質的に同一の機能構成を有する構成要素については、同一の符号を付することにより重複説明を省略する。
【００１９】
［応援用具１００の構成］
まず、本発明の一実施形態に係る応援用具１００の構成について説明する。図１は、本発明の一実施形態に係る応援用具１００を示す斜視図である。図４は、本実施形態に係る応援用具１００を示す斜視図である。図５は、本実施形態に係る応援用具１００を示す正面図である。図６は、本実施形態に係る応援用具１００を示す右側面図である。図７は、本実施形態に係る応援用具１００を示す平面図である。図８は、図５のＡ−Ａ’部分拡大図である。
【００２０】
本実施形態に係る応援用具１００は、シート１０２からなる。シート１０２は、屋外で使用される敷物（レジャーシート）用の材質を有する。
【００２１】
シート１０２は、例えば合成樹脂製である。シート１０２は、フィルム単体、合成樹脂繊維（ヤーン）を織って生成されるクロス、又は不織布などである。シート１０２がクロスである場合、ヤーンは縦方向及び縦方向に対して垂直な横方向に配置される。また、ヤーンが複数本平行して構成される帯が、縦方向及び横方向に配置されることによって、格子模様を有するクロスが生成されてもよい。
【００２２】
シート１０２の材質としては、様々な合成樹脂を用いることができる。シート１０２は、例えば、ポリエチレン製クロスである。シート１０２は、敷物（レジャーシート）として地面に対して追従容易な厚みを有する。また、シート１０２は、敷物（レジャーシート）として突起物に接触したときに耐え得る突き刺し強度を有する。更に、シート１０２が合成樹脂であれば、耐水性や耐候性に優れ、日除けや雨除けとしても使用することができる。
【００２３】
シート１０２は、一面側又は両面側の表面に、応援用の文字、図形、記号、模様若しくは色彩又はこれらの結合が付されている。図１のシート１０２には、一例として動物の顔を表す図形１５０と、「Ｊａｐａｎ」からなる文字１５２が表示されている。
【００２４】
また、シート１０２は、一面側又は両面側に樹脂被覆処理が施されてもよい。樹脂被覆処理としては、例えば基材表面にフィルムを貼るラミネート加工などがある。
【００２５】
シート１０２は、例えば基材がポリエチレンクロス製のクロスであり、表面にポリプロピレン製フィルムがラミネートされたものを使用できる。基材としてポリエチレンクロス製のクロスを用い、更にフィルムを積層することで、シート１０２をポリエチレンクロス製のクロスのみとする場合に比べて、シート１０２が丈夫になる。その結果、応援用具１００が後述するように打音を発生するために使用される場合に、よりはっきりとした、かつ大きな音量を出すことができる。
【００２６】
シート１０２は、例えば長方形又は正方形である。図４〜図７に示す例では、シート１０２が正方形である場合について示した。
【００２７】
シート１０２は、第一折り曲げ部分１１２、１１４と第二折り曲げ部分１１６を有する。
【００２８】
第一折り曲げ部分１１２と第一折り曲げ部分１１４は、正方形又は長方形の対向する２辺に対して平行であり、複数形成される。ここで、正方形又は長方形の対向する２辺は、第一の方向の一例である。図４〜図７に示す例では、第一折り曲げ部分１１２、１１４は、シート１０２の端部１０２ａと端部１０２ｂに平行である。第一折り曲げ部分１１２と第一折り曲げ部分１１４は、互いに反対の折り曲げ方向を有する。これにより、シート１０２は、シート１０２の端部１０２ａと端部１０２ｂに対して平行に複数回折り曲げることができる。
【００２９】
第二折り曲げ部分１１６は、第一折り曲げ部分１１２、１１４に対して垂直方向に、一つ形成される。図４〜図７に示す例では、第二折り曲げ部分１１６は、シート１０２の端部１０２ｃと端部１０２ｄに平行である。応援用具１００は、第一折り曲げ部分１１２、１１４で複数回ジグザグ状に折り曲げられて、第二折り曲げ部分１１６で１回折り曲げられることで扇形状が形成される。
【００３０】
第一折り曲げ部分１１２、１１４と第二折り曲げ部分１１６は、折り曲げ形状が保持され、シート１０２を広げても、図１のように山形形状が保持されている。従って、人が手で強く引っ張ったり、地面上で広げて物を載せたりしない限り、完全に平面状になることはない。また、シート１０２は、第一折り曲げ部分１１２、１１４や、第二折り曲げ部分１１６に凹部が予め形成されてもよい。これにより、応援用具１００のユーザーは応援用具１００を容易に畳んだ状態にすることができる。
【００３１】
［応援用具１００の使用方法］
次に、本実施形態に係る応援用具１００の使用方法について説明する。
応援用具１００は、平面状にして例えば応援の際の表示やレジャーシート、扇形状にして打音の発生に使用される。
【００３２】
応援用具１００は、上述したとおり、一面側又は両面側に文字、図形、記号、模様若しくは色彩又はこれらの結合が付されている。よって、図２に示すように、スタジアムなどにおいて、観客１０が頭上等で応援用具１００を広げて使用することで、応援用具に付された図形１５０、文字１５２等が競技場のフィールド側に向けられ、応援メッセージを表示することができる。複数の観客１０が一斉に応援用具１００を広げれば、更に応援を視覚上効果的に行うことができる。図２は、本実施形態に係る応援用具１００の第一の使用状態を示す説明図である
【００３３】
また、応援用具１００は、レジャーシートと同一の材料で構成されている。従って、ユーザーは応援用具１００を広げて使用することで、地面に敷く敷物として使用することもできる。応援用具１００は、板紙や厚紙等と異なり、弾性を有し、突き刺し強度を有する素材であるため、地面に敷いてその上に人が座ったり立ったりなどしても、破損するおそれは少ない。
【００３４】
更に、応援用具１００は、広げられた状態から、第一折り曲げ部分１１２、１１４と第二折り曲げ部分１１６を用いて畳まれることで、図３や図９〜図１１に示すように、扇形状に形成することができる。よって、図３に示すように、スタジアムなどにおいて、観客が扇形状の応援用具１００の端部を一方の手２０で把持して、他方の手に当該応援用具１００を叩くことで、打音を発生させることができる。これによって、音響面からも応援を効果的に行うことができる。図３は、本実施形態に係る応援用具１００の第二の使用状態を示す説明図である。
【００３５】
ユーザーが第二折り曲げ部分１１６側の端部を把持することで、図９〜図１１に示すように、第三折り曲げ部分１２０が生成される。そして、第二折り曲げ部分１１６と反対側が扇状に開いて保持される。図９は、本実施形態に係る応援用具１００の第二の使用状態を示す斜視図である。図１０は、本実施形態に係る応援用具１００の第二の使用状態を示す平面図である。図１１は、図１０のＢ−Ｂ’部分拡大図である。
【００３６】
次に、図１２〜図１６を参照して、応援用具１００が広げられた状態から扇形状に移行する過程について説明する。
【００３７】
図４〜図８に示した応援用具１００が広げられた状態から、第一折り曲げ部分１１２、１１４の間隔を狭めると、応援用具１００は、図１２〜図１４に示すような比較的緩やかに畳まれた状態に移行する。図１２は、本実施形態に係る応援用具１００の第一の畳んだ状態を示す平面図である。図１３は、本実施形態に係る応援用具１００の第一の畳んだ状態を示す正面図である。図１４は、図１３のＣ−Ｃ’部分拡大図である。
【００３８】
そして、図１２〜図１４に示すような比較的緩やかに畳まれた状態から、更に第一折り曲げ部分１１２、１１４の間隔を狭めて、かつ第二折り曲げ部分１１６でシート１０２を二つに折ると、応援用具１００は、図１５、図１６に示すような扇形状に移行する。即ち、図１２〜図１６に示す例では、応援用具１００の端部１０２ａが第二折り曲げ部分１１６を挟んで近接するように畳まれることで、応援用具１００が扇形状に形成される。
【００３９】
そして、ユーザーが第二折り曲げ部分１１６側の端部を把持することで、上述した通り、応援時に打音を発生するように使用することができる。詳細な説明は省略するが、上述した過程と反対の過程を行うことで、応援用具１００は扇形状から広げられた状態に移行することができる。そして、ユーザーは、応援メッセージなどを視覚的に表示したり、レジャーシートとして使用したりすることができる。
【００４０】
［応援用具１００の製作方法］
次に、本実施形態に係る応援用具１００の製作方法について説明する。
まず、広げた状態及び扇形状の両方について、使用時の大きさを考慮して、シート１０２の大きさを決定する。また、シート１０２の素材や詳細な仕様、シート１０２の表面に付する文字や図形などを決定する。そして、決定した大きさやデザインに基づいて、平面状のシート１０２を作製する。
【００４１】
その後、シート１０２に第一折り曲げ部分１１２、１１４を形成する。このとき、シート１０２に折り曲げ形状が保持されるように比較的強い圧力又は適度な熱をシート１０２にかける。第一折り曲げ部分１１２と第一折り曲げ部分１１４は、互いに反対の折り曲げ方向となるように形成する。図４〜図７に示した例では、第一折り曲げ部分１１２、１１４の間隔が均等である場合について示した。このように、第一折り曲げ部分１１２、１１４の間隔は、均等であってもよいし、畳んだ状態で扇形状を保持することができれば、第一折り曲げ部分１１２、１１４の間隔は均等でなくてもよい。
【００４２】
次に、シート１０２に第二折り曲げ部分１１６を形成する。図４〜図１６に示す例では、第二折り曲げ部分１１６が端部１０２ｃと端部１０２ｄの中間部分にある場合について示した。第二折り曲げ部分１１６の位置は、端部１０２ｃと端部１０２ｄの中間部分であってもよいし、畳んだ状態で扇形状を保持することができれば、中間部分からずれた位置であってもよい。
【００４３】
シート１０２は、板紙や厚紙のように硬い素材ではなく弾性を有するため、折り曲げ部分が保持されるように折り曲げ部分を形成することは困難である。しかし、一度折り曲げ部分を形成することができれば、シート１０２の塑性変形によってその折り曲げ部分は解消されにくく、畳んだり広げたりを繰り返し行うことが容易となる。以上の過程を経て、上述した応援用具１００が製作される。
【００４４】
以上、本実施形態の応援用具１００の構成、使用方法、製造方法について説明した。以下では、本実施形態に係る応援用具１００の効果について説明する。
【００４５】
本実施形態の応援用具１００は、シート１０２のみからなり、シート１０２に第一折り曲げ部分１１２、１１４と第二折り曲げ部分１１６が形成されるだけの構成である。この構成によって、応援用の表示や打音発生が可能となり、容易に応援用具１００を製作することができる。従って、部材点数が多かったり、一部分特別な形状を有していたりと加工部分が多く必要な従来の応援用具に比べて、本実施形態の応援用具１００は製作が容易であり、多量かつ安価にユーザーに提供できる。その結果、スポーツ観戦において、プロチーム運営者やスタジアム運営者などの事業者が応援用具１００を提供しやすくなり、本実施形態の応援用具１００は応援をより盛り上げるために活用しやすい。
【００４６】
また、本実施形態の応援用具１００は、屋外で使用される敷物（レジャーシート）用の材質を有する。従って、応援用の表示や打音発生として使用するだけでなく、レジャーシートと同様の使用をすることができる。例えば、ユーザーは応援用具１００を広げて使用することで、地面に敷く敷物として使用することができる。応援用具１００は、板紙や厚紙等と異なり、弾性を有し、突き刺し強度を有する素材であるため、地面に敷いてその上に人が座ったり立ったりなどしても、破損するおそれは少ない。また、板紙や厚紙のように硬い素材ではなく弾性を有するため、一度形成された第一折り曲げ部分１１２、１１４や第二折り曲げ部分１１６以外に折り目が付きにくく、扇形状以外に畳まれてしまうという問題が発生しにくい。更に、シート１０２は耐水性や耐候性に優れ、応援用具１００は日除けや雨除けとしても使用することができる。
【００４７】
また、シート１０２は、板紙や厚紙、プラスチック板などと比べて弾性、しなやかさを有する。そのため、板紙や厚紙、プラスチック板などと比べて、万一周囲にいる人に接触する等しても怪我を負わせにくく、人が大勢で込み合ったスタジアムの観客席などにおいて使用されても、応援用具１００は安全性を確保できる。
【００４８】
このように、応援用具１００は、スポーツ観戦や野外活動において多目的使用が可能であり、ユーザーが楽しみながら喜んで使用でき、ユーザーにとって魅力的な製品として提供され得る。
【００４９】
更に、本実施形態の応援用具１００は、第二折り曲げ部分１１６で１回折られる構成を有する。従って、第二折り曲げ部分１１６に相当する折り曲げ部分を有さない従来の応援用具に比べて、複数の平行な折り曲げ部分（第一折り曲げ部分１１２、１１４）が少なくても、打音発生に効果的な扇形状を形成できる。即ち、従来の扇形状の応援用具では、一方の手で把持して他方の手に叩くことで効果的に音を鳴らすためには、縦方向に比べて横方向に長いシート材であって縦方向に平行な相当数の折り目が必要であった。
【００５０】
一方、本実施形態の応援用具１００は、横方向に長いシート１０２である必要はなく、正方形に近い形状を有するシート１０２であってもよい。本実施形態の応援用具１００は、従来の応援用具に比べて、折り目が少なくてもよいため、応援用具１００の製作が容易となる。また、子供が使用しやすいような比較的小型のものであっても、打音発生に効果的な扇形状を形成できる。また、応援用具１００を広げた状態としたとき、正方形に近い形状を有することで、一方向に長い長方形形状の応援用具と比べて、今までにない従来と異なる視覚的な表示を実現することも可能となる。
【００５１】
更に、従来の応援用具は短辺方向に平行な折り目としていたため、相当数の折り目が必要であった。一方、本実施形態の応援用具１００は、第二折り曲げ部分１１６が形成されるため、本実施形態の応援用具１００は、長辺方向に平行な複数の第一折り曲げ部分１１２、１１４を設けてもよい。その結果、従来に比べて折り目を減少させながらも、第二折り曲げ部分１１６で１回折り曲げられることで、結果的に折り曲げ数が多くなり、打音発生に効果的な扇形状を形成できる。
【００５２】
以上、添付図面を参照しながら本発明の好適な実施形態について詳細に説明したが、本発明はかかる例に限定されない。本発明の属する技術の分野における通常の知識を有する者であれば、特許請求の範囲に記載された技術的思想の範疇内において、各種の変更例または修正例に想到し得ることは明らかであり、これらについても、当然に本発明の技術的範囲に属するものと了解される。
【符号の説明】
【００５３】
１００      応援用具
１０２      シート
１０２ａ、１０２ｂ、１０２ｃ、１０２ｄ      端部
１１２、１１４      第一折り曲げ部分
１１６      第二折り曲げ部分
１２０      第三折り曲げ部分
１５０      図形
１５２      文字
【図１】
2010271651.tif 000003
【図２】
2010271651.tif 000004
【図３】
2010271651.tif 000005
【図４】
2010271651.tif 000006
【図５】
2010271651.tif 000007
【図６】
2010271651.tif 000008
【図７】
2010271651.tif 000009
【図８】
2010271651.tif 000010
【図９】
2010271651.tif 000011
【図１０】
2010271651.tif 000012
【図１１】
2010271651.tif 000013
【図１２】
2010271651.tif 000014
【図１３】
2010271651.tif 000015
【図１４】
2010271651.tif 000016
【図１５】
2010271651.tif 000017
【図１６】
2010271651.tif 000018